(57)【要約】【課題】内線交換機に接続されているか否かにかかわらず、外線への呼出を容易に行なうことができる通信装置を提供する。【解決手段】外線への呼出を行なうときに、設定記憶部３４１に外線用が設定されていれば外線番号をそのまま出力し、設定記憶部３４１に内線用が設定されていれば外線番号に外線識別番号を付加して出力する。これにより、内線用又は外線用の設定を予め行なえば、通信装置１００が内線交換機に接続されているか否かにかかわらず、ユーザがダイヤル時に外線識別番号を付加する必要がない。そのため、通信装置１００が内線交換機に接続されているか否かをユーザが把握しておく必要がなく、外線への呼出を容易に行なうことができるとともに、外線への呼出を行なう際に、所望しない番号が出力されるのを防止することができる。【選択図】  図１
2012138810.tif 000002
【特許請求の範囲】
【請求項１】
内線及び外線への呼出が可能な通信装置であって、
内線用又は外線用のいずれかの設定を記憶するための設定記憶部と、
内線番号を出力することにより内線への呼出を行ない、外線番号を出力することにより外線への呼出を行なうことができる呼出部とを備え、
前記呼出部は、
前記設定記憶部に外線用が設定されている場合、内線への呼出を行なうときには、内線番号をそのまま出力し、外線への呼出を行なうときには、外線番号をそのまま出力し、
前記設定記憶部に内線用が設定されている場合、内線への呼出を行なうときには、内線番号をそのまま出力し、外線への呼出を行なうときには、外線番号に外線識別番号を付加して出力することを特徴とする通信装置。
【請求項２】
内線番号又は外線番号のいずれであるかを表す識別情報に対応付けて、内線番号及び外線番号を記憶することができる番号記憶部を備え、
前記呼出部は、
前記設定記憶部に外線用が設定されている場合、前記番号記憶部から読み出される番号に対応付けられた前記識別情報が内線番号を表しているときには、前記番号記憶部から読み出した内線番号をそのまま出力し、前記番号記憶部から読み出される番号に対応付けられた前記識別情報が外線番号を表しているときには、前記番号記憶部から読み出した外線番号をそのまま出力し、
前記設定記憶部に内線用が設定されている場合、前記番号記憶部から読み出される番号に対応付けられた前記識別情報が内線番号を表しているときには、前記番号記憶部から読み出した内線番号をそのまま出力し、前記番号記憶部から読み出される番号に対応付けられた前記識別情報が外線番号を表しているときには、前記番号記憶部から読み出した外線番号に外線識別番号を付加して出力することを特徴とする請求項１に記載の通信装置。
【請求項３】
ユーザが内線番号又は外線番号を入力するための番号入力部と、
前記設定記憶部に内線用が設定されている場合に、ユーザが内線又は外線のいずれに呼出を行なうかを選択するための選択部とを備え、
前記呼出部は、
前記設定記憶部に外線用が設定されている場合、前記番号入力部により入力された内線番号又は外線番号をそのまま出力し、
前記設定記憶部に内線用が設定されている場合、前記選択部により内線が選択されたときには、前記番号入力部により入力された内線番号をそのまま出力し、前記選択部により外線が選択されたときには、前記番号入力部により入力された外線番号に外線識別番号を付加して出力することを特徴とする請求項１又は２に記載の通信装置。
【発明の詳細な説明】
【技術分野】
【０００１】
本発明は、内線及び外線への呼出が可能な通信装置に関するものである。
【背景技術】
【０００２】
図５は、通信装置１００を介して通信を行なうシステムの一例を示したブロック図である。通信装置１００は、例えば電話機、ファクシミリ装置又は複合機などにより構成され、電話交換機１０１を介して接続されている多数の外部通信装置１０２との間で通信を行なうことができる。
【０００３】
例えば企業などの構内には、複数の通信装置１００に接続された内線交換機１０３が設置される場合がある。内線交換機１０３は電話交換機１０１に接続されており、当該内線交換機１０３を介して構内の複数の通信装置１００から外線への呼出を行ない、外部通信装置１０２との間で通信を行なうことができる。また、構内の複数の通信装置１００から内線への呼出を行ない、内線交換機１０３を介して接続された構内の他の通信装置１００との間で通信を行なうこともできる。
【０００４】
内線交換機１０３は、通信装置１００から出力される番号に外線識別番号が付加されているか否かに基づいて、外線又は内線のいずれかに接続を切り替える。外線識別番号としては、例えば「０」が使用され、外線番号の前に「０」を付加して通信装置１００から呼出を行なうことにより、外線に接続することができる。一方、内線に接続する場合には、内線番号の前に「０」を付加せずに通信装置１００から呼出を行なうことにより、内線に接続することができる（例えば、特許文献１の段落［００１０］参照）。
【０００５】
通信装置１００の中には、ワンタッチダイヤル又は短縮ダイヤルの登録を行なうことができるものがある。ワンタッチダイヤル及び短縮ダイヤルは、いずれも外線番号又は内線番号を予めメモリに記憶させ、簡単なダイヤル操作により当該番号をメモリから読み出して出力するための機能である。ワンタッチダイヤル又は短縮ダイヤルとして外線番号の登録を行なう場合には、外線番号の前に「０」を付加した番号をメモリに記憶させることにより、最初に「０」をダイヤルすることなく簡単に外線番号を出力することができる（例えば、特許文献１の段落［００１２］参照）。
【０００６】
一方、内線交換機１０３を介さずに電話交換機１０１に直接接続された通信装置１００では、外線への呼出を行なう際、外線番号の前に「０」を付加する必要がない。そのため、ワンタッチダイヤル又は短縮ダイヤルとして外線番号の登録を行なう場合には、外線番号をそのままメモリに記憶させるだけでよい。
【先行技術文献】
【特許文献】
【０００７】
【特許文献１】特開平７−１５５１３号公報
【発明の概要】
【発明が解決しようとする課題】
【０００８】
上述の通り、内線交換機１０３を介して通信装置１００から外線への呼出を行なう場合には、外線番号の前に「０」を付加する必要があるのに対して、内線交換機１０３を介さずに通信装置１００から外線への呼出を行なう場合には、外線番号の前に「０」を付加する必要がない。したがって、ユーザが通信装置１００を使用して外線番号をダイヤルする際には、その通信装置１００が内線交換機１０３を介して電話交換機１０１に接続されているか否かを把握していなければ、外線番号の前に「０」を付加すべきか否かが分からないという問題があった。そして、通信装置１００が内線交換機１０３を介して電話交換機１０１に接続されているか否かを把握していない場合には、外線番号の前に「０」を付加するか否かの判断を誤り、所望しない番号が出力されてしまうおそれがある。
【０００９】
また、内線交換機１０３を介して電話交換機１０１に接続されている通信装置１００において、ワンタッチダイヤル又は短縮ダイヤルの登録を行なっている場合、当該通信装置１００を電話交換機１０１に直接接続することになったときには、登録を変更しなければならない。すなわち、外線番号の前に「０」を付加した番号をワンタッチダイヤル又は短縮ダイヤルとして登録していた場合、「０」を削除した番号に登録し直す必要がある。同様に、内線交換機１０３を介さずに電話交換機１０１に直接接続されている通信装置１００において、ワンタッチダイヤル又は短縮ダイヤルの登録を行なっている場合にも、当該通信装置１００を内線交換機１０３に接続することになったときには、登録を変更しなければならない。
【００１０】
本発明は上記実情に鑑みてなされたものであり、内線交換機に接続されているか否かにかかわらず、外線への呼出を容易に行なうことができる通信装置を提供することを目的とする。また、本発明は、外線への呼出を行なう際に、所望しない番号が出力されるのを防止することができる通信装置を提供することを目的とする。さらに、本発明は、内線交換機に接続されているか否かによって大幅な設定変更が必要になるのを防止することができる通信装置を提供することを目的とする。
【課題を解決するための手段】
【００１１】
本発明に係る通信装置は、内線及び外線への呼出が可能な通信装置であって、内線用又は外線用のいずれかの設定を記憶するための設定記憶部と、内線番号を出力することにより内線への呼出を行ない、外線番号を出力することにより外線への呼出を行なうことができる呼出部とを備え、前記呼出部は、前記設定記憶部に外線用が設定されている場合、内線への呼出を行なうときには、内線番号をそのまま出力し、外線への呼出を行なうときには、外線番号をそのまま出力し、前記設定記憶部に内線用が設定されている場合、内線への呼出を行なうときには、内線番号をそのまま出力し、外線への呼出を行なうときには、外線番号に外線識別番号を付加して出力することを特徴とする。
【００１２】
このような構成によれば、外線への呼出を行なうときに、設定記憶部に外線用が設定されていれば外線番号がそのまま出力され、設定記憶部に内線用が設定されていれば外線番号に外線識別番号が付加されて出力される。これにより、内線用又は外線用の設定を予め行なえば、通信装置が内線交換機に接続されているか否かにかかわらず、ユーザがダイヤル時に外線識別番号を付加する必要がない。そのため、通信装置が内線交換機に接続されているか否かをユーザが把握しておく必要がなく、外線への呼出を容易に行なうことができるとともに、外線への呼出を行なう際に、所望しない番号が出力されるのを防止することができる。
【００１３】
前記通信装置は、内線番号又は外線番号のいずれであるかを表す識別情報に対応付けて、内線番号及び外線番号を記憶することができる番号記憶部を備え、前記呼出部は、前記設定記憶部に外線用が設定されている場合、前記番号記憶部から読み出される番号に対応付けられた前記識別情報が内線番号を表しているときには、前記番号記憶部から読み出した内線番号をそのまま出力し、前記番号記憶部から読み出される番号に対応付けられた前記識別情報が外線番号を表しているときには、前記番号記憶部から読み出した外線番号をそのまま出力し、前記設定記憶部に内線用が設定されている場合、前記番号記憶部から読み出される番号に対応付けられた前記識別情報が内線番号を表しているときには、前記番号記憶部から読み出した内線番号をそのまま出力し、前記番号記憶部から読み出される番号に対応付けられた前記識別情報が外線番号を表しているときには、前記番号記憶部から読み出した外線番号に外線識別番号を付加して出力することが好ましい。
【００１４】
このような構成によれば、番号記憶部から読み出される番号に対応付けられた識別情報が外線番号を表しているときに、設定記憶部に外線用が設定されていれば外線番号がそのまま出力され、設定記憶部に内線用が設定されていれば外線番号に外線識別番号が付加されて出力される。これにより、内線用又は外線用の設定、及び、番号記憶部への登録を予め行なえば、通信装置が内線交換機に接続されているか否かにかかわらず、ユーザが番号記憶部から読み出される番号に外線識別番号を付加する必要がない。そのため、通信装置が内線交換機に接続されているか否かをユーザが把握しておく必要がなく、番号記憶部から外線番号を読み出すだけで外線への呼出を容易に行なうことができるとともに、外線への呼出を行なう際に、所望しない番号が出力されるのを防止することができる。
【００１５】
また、通信装置を電話交換機に直接接続して外線用として使用するか、又は、通信装置を内線交換機に接続して内線用として使用するかを変更した場合であっても、設定記憶部における内線用又は外線用の設定を変更するだけでよい。したがって、通信装置が内線交換機に接続されているか否かによって、番号記憶部への登録を変更する必要がないため、大幅な設定変更が必要になるのを防止することができる。
【００１６】
前記通信装置は、ユーザが内線番号又は外線番号を入力するための番号入力部と、前記設定記憶部に内線用が設定されている場合に、ユーザが内線又は外線のいずれに呼出を行なうかを選択するための選択部とを備え、前記呼出部は、前記設定記憶部に外線用が設定されている場合、前記番号入力部により入力された内線番号又は外線番号をそのまま出力し、前記設定記憶部に内線用が設定されている場合、前記選択部により内線が選択されたときには、前記番号入力部により入力された内線番号をそのまま出力し、前記選択部により外線が選択されたときには、前記番号入力部により入力された外線番号に外線識別番号を付加して出力することが好ましい。
【００１７】
このような構成によれば、設定記憶部に外線用が設定されていれば入力された外線番号がそのまま出力され、設定記憶部に内線用が設定されていれば、ユーザが選択部により外線へ呼出を行なうと選択したときに、入力された外線番号に外線識別番号が付加されて出力される。これにより、内線用又は外線用の設定、及び、内線又は外線のいずれに呼出を行なうかの選択を予め行なえば、通信装置が内線交換機に接続されているか否かにかかわらず、ユーザが外線番号を入力する際に外線識別番号を付加する必要がない。そのため、通信装置が内線交換機に接続されているか否かをユーザが把握しておく必要がなく、外線番号を入力するだけで外線への呼出を容易に行なうことができるとともに、外線への呼出を行なう際に、所望しない番号が出力されるのを防止することができる。
【図面の簡単な説明】
【００１８】
【図１】本発明の一実施形態に係る通信装置の電気的構成を示したブロック図である。
【図２】呼出部の具体的構成を示したブロック図である。
【図３】短縮キー又はワンタッチキーを用いて呼出を行なう際のＣＰＵによる処理の一例を示したフローチャートである。
【図４】ダイヤルキーで直接番号を入力することにより呼出を行なう際のＣＰＵによる処理の一例を示したフローチャートである。
【図５】通信装置を介して通信を行なうシステムの一例を示したブロック図である。
【発明を実施するための形態】
【００１９】
図１は、本発明の一実施形態に係る通信装置１００の電気的構成を示したブロック図である。本実施形態では、通信装置１００の一例として複合機について説明するが、本発明は複合機に限らず、電話機又はファクシミリ装置などの各種通信装置に適用可能である。また、以下に説明する通信装置１００の具体的構成についても、その構成に限定されるものではない。
【００２０】
通信装置１００は、例えば画像読取部３、画像形成部４、ＣＰＵ３１、フラッシュＲＯＭ３２、ＳＤＲＡＭ３３、ＳＲＡＭ３４、モデム３５、ＮＣＵ３６、操作パネル３７、時計回路３８、統合チップセット３９、ＳＤＲＡＭ４０及びネットワークボード４１などを備えている。ＣＰＵ３１、フラッシュＲＯＭ３２、ＳＤＲＡＭ３３、ＳＲＡＭ３４、モデム３５、操作パネル３７、時計回路３８及び統合チップセット３９は、システムバス４２を介して互いにデータを伝送することができる。
【００２１】
画像読取部３及び画像形成部４は、統合チップセット３９に接続されている。画像読取部３は、例えばＣＣＤ(Charge Coupled Devices)を含む受光部と、複数のＬＥＤを含む発光部とを備え、当該発光部から原稿に向けて照射した光の反射光を受光部で受光することにより、その受光量に基づく画像データを得ることができる。画像形成部４は、例えば感光体ドラムを含む構成であり、画像読取部３で読み取った原稿の画像データなどに基づく画像を記録紙に形成する。
【００２２】
ＣＰＵ（Central Processing Unit）３１は、通信装置１００の動作を制御するための制御部として機能する。フラッシュＲＯＭ（Read-Only Memory）３２、ＳＤＲＡＭ（Synchronous Dynamic Random Access Memory）３３及びＳＲＡＭ（Static Random Access Memory）３４は、いずれもデータを記憶しておくための記憶部である。
【００２３】
モデム３５は、ＮＣＵ（Network Control Unit）３６を介して公衆電話網（ＰＳＴＮ：Public Switched Telephone Networks）４４に接続されている。ＮＣＵ３６は、公衆電話網４４に接続されている他の外部通信装置１０２との間で信号を送受信することができ、公衆電話網４４には上述の電話交換機１０１が含まれる（図５参照）。図５に示すように、本実施形態の通信装置１００は、内線交換機１０３を介して電話交換機１０１に接続することにより内線用として使用することができるとともに、内線交換機１０３を介さずに電話交換機１０１に直接接続することにより外線用として使用することもできる。
【００２４】
モデム３５及びＮＣＵ３６は、内線番号を出力することにより内線への呼出を行ない、外線番号を出力することにより外線への呼出を行なうことができる呼出部４６を構成している。この呼出部４６の機能により、本実施形態の通信装置１００は、内線及び外線への呼出が可能な構成となっている。
【００２５】
操作パネル３７は、ユーザが操作を行なうための操作部、及び、ユーザに対して表示を行うための表示部を構成しており、例えば操作キー３７１及びＬＣＤ（Liquid Crystal Display）３７２などを備えている。ユーザは、操作キー３７１を操作することにより、通信装置１００の動作の設定及び指示などを行なうことができる。ＬＣＤ３７２には、通信装置１００の動作状況及び設定内容などを表示することができる。ただし、ＬＣＤ３７２がタッチパネルを含む構成であれば、ＬＣＤ３７２に対する操作により、通信装置１００の動作の設定及び指示などを行なうこともできる。
【００２６】
時計回路３８は、計時を行なうためのタイマ部であり、例えばＲＴＣ（Real Time Clock）などにより構成することができる。統合チップセット３９は、複数の集積回路を組み合わせることにより構成されている。ＳＤＲＡＭ（Synchronous Dynamic Random Access Memory）４０は、統合チップセット３９を介してデータが入出力される記憶部である。
【００２７】
ネットワークボード４１は、ローカルバス４３を介して統合チップセット３９との間でデータを伝送することができる。ネットワークボード４１はＬＡＮ（Local Area Network）４５に接続されており、当該ネットワークボード４１を介して、ＬＡＮ４５に接続されている他の外部通信装置との間でネットワーク通信を行なうことができる。
【００２８】
図２は、呼出部４６の具体的構成を示したブロック図である。モデム３５及びＮＣＵ３６は、アナログフロントエンド（ＡＦＥ）４７を介して接続されている。アナログフロントエンド４７は、ＮＣＵ３６からのアナログ信号をデジタル信号に変換（Ａ／Ｄ変換）してモデム３５に出力するとともに、モデム３５からのデジタル信号をアナログ信号に変換（Ｄ／Ａ変換）してＮＣＵ３６に出力する。
【００２９】
モデム３５は、デジタル信号の変調及び復調を行なうための装置であり、ＤＴＭＦ（Dial Tone Multi Frequency）発生部３５１を備えている。ＤＴＭＦ発生部３５１は、外線番号又は内線番号などの番号をプッシュ信号に変換してアナログフロントエンド４７に出力する。
【００３０】
ＮＣＵ３６は、ＣＭＬリレー３６１及び呼出信号検出回路３６２を備えている。ＣＭＬリレー３６１は、図２に実線で示す状態において、コンデンサ３６３を介して呼出信号検出回路３６２に接続される。この状態では、呼出信号検出回路３６２が外部から入力される呼出信号を検出し、ＣＰＵ３１に割込み信号を出力することができる。その後、ＣＭＬリレー３６１を図２に破線で示す状態に切り替えることにより、外部から受信するアナログ信号をトランス３６４を介してアナログフロントエンド４７に入力することができる。
【００３１】
図１に示すように、本実施形態におけるＳＲＡＭ３４には、設定記憶部３４１、短縮ダイヤル記憶部３４２及びワンタッチダイヤル記憶部３４３が割り当てられている。短縮ダイヤル記憶部３４２及びワンタッチダイヤル記憶部３４３は、内線番号及び外線番号を記憶することができる番号記憶部３４４を構成している。ただし、番号記憶部３４４は、短縮ダイヤル記憶部３４２又はワンタッチダイヤル記憶部３４３のいずれか一方により構成されていてもよいし、短縮ダイヤル記憶部３４２及びワンタッチダイヤル記憶部３４３とは異なる態様で番号を記憶する構成であってもよい。
【００３２】
設定記憶部３４１は、内線用又は外線用のいずれかの設定を記憶する。すなわち、通信装置１００が、内線交換機１０３を介して電話交換機１０１に接続されることにより、内線用として使用される場合には、内線用である旨が設定記憶部３４１に記憶される。一方、通信装置１００が、内線交換機１０３を介さずに電話交換機１０１に直接接続されることにより、外線用として使用される場合には、外線用である旨が設定記憶部３４１に記憶される。内線用又は外線用の設定は、例えば操作キー３７１を操作することにより行なうことができる。
【００３３】
短縮ダイヤル記憶部３４２は、例えば２桁などの１〜３桁程度からなる短縮番号にそれぞれ対応付けて、内線番号及び外線番号を記憶することができる。このような構成によれば、例えば操作キー３７１に含まれる短縮キー３７３を操作した後、短縮番号をダイヤルキー３７４で入力することにより、その短縮番号に対応する内線番号又は外線番号を短縮ダイヤル記憶部３４２から読み出して、呼出部４６で呼出を行なうことができる。短縮ダイヤル記憶部３４２に番号を記憶する際には、その番号が内線番号又は外線番号のいずれであるかを表す識別情報が対応付けて記憶される。短縮ダイヤルの設定は、例えば操作キー３７１を操作することにより行なうことができる。
【００３４】
ワンタッチダイヤル記憶部３４３は、例えば操作キー３７１に含まれる複数のワンタッチキー３７５にそれぞれ対応付けて、内線番号及び外線番号を記憶することができる。このような構成によれば、いずれかのワンタッチキー３７５を操作することにより、そのワンタッチキー３７５に対応する内線番号又は外線番号をワンタッチダイヤル記憶部３４３から読み出して、呼出部４６で呼出を行なうことができる。ワンタッチダイヤル記憶部３４３に番号を記憶する際には、その番号が内線番号又は外線番号のいずれであるかを表す識別情報が対応付けて記憶される。ワンタッチダイヤルの設定は、例えば操作キー３７１を操作することにより行なうことができる。
【００３５】
上記ダイヤルキー３７４は、ユーザが内線番号又は外線番号を入力するための番号入力部を構成しており、例えば「０」〜「９」、「＊」及び「♯」などのキーを含む。すなわち、ユーザは、短縮キー３７３又はワンタッチキー３７５を使用しなくても、ダイヤルキー３７４で直接番号を入力することにより、当該番号を呼出部４６から出力して呼出を行なうことができる。
【００３６】
操作キー３７１には、さらに選択キー３７６が含まれる。この選択キー３７６は、設定記憶部３４１に内線用が設定されている場合に、ユーザが内線又は外線のいずれに呼出を行なうかを選択するための選択部を構成している。すなわち、設定記憶部３４１に外線用が設定されている場合には、ユーザが選択キー３７６を操作する必要はないが、設定記憶部３４１に内線用が設定されている場合には、ユーザは操作キー３７１を操作して内線又は外線のいずれに呼出を行なうかを選択する必要がある。
【００３７】
図３は、短縮キー３７３又はワンタッチキー３７５を用いて呼出を行なう際のＣＰＵ３１による処理の一例を示したフローチャートである。短縮キー３７３又はワンタッチキー３７５を用いて番号記憶部３４４から内線番号又は外線番号が読み出される場合、まず、設定記憶部３４１に内線用又は外線用のいずれが設定されているかが判定される（ステップＳ１０１）。
【００３８】
設定記憶部３４１に外線用が設定されている場合には（ステップＳ１０１でＮｏ）、番号記憶部３４４から読み出された内線番号又は外線番号が、そのまま呼出部４６から出力される（ステップＳ１０４）。
【００３９】
すなわち、内線への呼出を行なうときには、内線番号がそのまま出力され、外線への呼出を行なうときには、外線番号がそのまま出力される。より具体的には、番号記憶部３４４から読み出される番号に対応付けられた識別情報が内線番号を表しているときには、番号記憶部３４４から読み出された内線番号がそのまま出力される。また、番号記憶部３４４から読み出される番号に対応付けられた識別情報が外線番号を表しているときには、番号記憶部３４４から読み出された外線番号がそのまま出力される。
【００４０】
一方、設定記憶部３４１に内線用が設定されている場合には（ステップＳ１０１でＹｅｓ）、読み出される番号に対応付けて番号記憶部３４４に記憶されている識別情報に基づいて、当該番号が外線番号であるか否かが判定される（ステップＳ１０２）。番号記憶部３４４から読み出される番号が内線番号である場合には（ステップＳ１０２でＮｏ）、読み出された内線番号がそのまま出力される（ステップＳ１０４）。これに対して、番号記憶部３４４から読み出される番号が外線番号である場合には（ステップＳ１０２でＹｅｓ）、外線識別番号が出力された後（ステップＳ１０３）、読み出された外線番号が出力される（ステップＳ１０４）。
【００４１】
すなわち、内線への呼出を行なうときには、内線番号がそのまま出力され、外線への呼出を行なうときには、外線番号に外線識別番号が付加されて出力される。より具体的には、番号記憶部３４４から読み出される番号に対応付けられた識別情報が内線番号を表しているときには、番号記憶部３４４から読み出された内線番号がそのまま出力される。また、番号記憶部３４４から読み出される番号に対応付けられた識別情報が外線番号を表しているときには、番号記憶部３４４から読み出された外線番号に外線識別番号が付加されて出力される。
【００４２】
外線識別番号としては、例えば「０」を使用することができ、当該外線識別番号をＳＲＡＭ３４などに予め記憶させておくことができる。このように、外線番号の前に「０」を付加して呼出を行なうことにより、外線番号が内線交換機１０３から電話交換機１０１に出力される（図５参照）。外線識別番号としては、外線番号の前に「０」を付加するのが一般的であるが、「０」以外の外線識別番号を使用するような構成であってもよいし、外線番号の後に外線識別番号が付加されるような構成であってもよい。
【００４３】
本実施形態では、短縮キー３７３又はワンタッチキー３７５を用いて外線への呼出を行なうときに、設定記憶部３４１に外線用が設定されていれば外線番号がそのまま出力され、設定記憶部３４１に内線用が設定されていれば外線番号に外線識別番号が付加されて出力される。これにより、内線用又は外線用の設定を予め行なえば、通信装置１００が内線交換機１０３に接続されているか否かにかかわらず、ユーザがダイヤル時に外線識別番号を付加する必要がない。そのため、通信装置１００が内線交換機１０３に接続されているか否かをユーザが把握しておく必要がなく、外線への呼出を容易に行なうことができるとともに、外線への呼出を行なう際に、所望しない番号が出力されるのを防止することができる。
【００４４】
特に、本実施形態では、番号記憶部３４４から読み出される番号に対応付けられた識別情報が外線番号を表しているときに、設定記憶部３４１に外線用が設定されていれば外線番号がそのまま出力される。また、設定記憶部３４１に内線用が設定されていれば外線番号に外線識別番号が付加されて出力される。これにより、内線用又は外線用の設定、及び、番号記憶部３４４への登録を予め行なえば、通信装置１００が内線交換機１０３に接続されているか否かにかかわらず、ユーザが番号記憶部３４４から読み出される番号に外線識別番号を付加する必要がない。
【００４５】
また、通信装置１００を電話交換機１０１に直接接続して外線用として使用するか、又は、通信装置１００を内線交換機１０３に接続して内線用として使用するかを変更した場合であっても、設定記憶部３４１における内線用又は外線用の設定を変更するだけでよい。したがって、通信装置１００が内線交換機１０３に接続されているか否かによって、番号記憶部３４４への登録を変更する必要がないため、大幅な設定変更が必要になるのを防止することができる。
【００４６】
図４は、ダイヤルキー３７４で直接番号を入力することにより呼出を行なう際のＣＰＵ３１による処理の一例を示したフローチャートである。ダイヤルキー３７４で直接番号が入力される場合、すなわち短縮キー３７３又はワンタッチキー３７５が操作されずにダイヤルキー３７４により番号が入力される場合、まず、設定記憶部３４１に内線用又は外線用のいずれが設定されているかが判定される（ステップＳ２０１）。
【００４７】
設定記憶部３４１に外線用が設定されている場合には（ステップＳ２０１でＮｏ）、入力された内線番号又は外線番号が、そのまま呼出部４６から出力される（ステップＳ２０５）。すなわち、内線への呼出を行なうときには、内線番号がそのまま出力され、外線への呼出を行なうときには、外線番号がそのまま出力される。
【００４８】
一方、設定記憶部３４１に内線用が設定されている場合には（ステップＳ２０１でＹｅｓ）、選択キー３７６を用いて内線又は外線の選択をするようユーザに指示するための表示がＬＣＤ３７２に表示され、ユーザによる入力の待ち状態となる（ステップＳ２０２）。その後、内線に呼出を行なうことが選択キー３７６により選択された場合には（ステップＳ２０３でＮｏ）、入力された内線番号がそのまま出力される（ステップＳ２０５）。これに対して、外線に呼出を行なうことが選択キー３７６により選択された場合には（ステップＳ２０３でＹｅｓ）、外線識別番号が出力された後（ステップＳ２０４）、入力された外線番号が出力される（ステップＳ２０５）。
【００４９】
すなわち、内線への呼出を行なうときには、内線番号がそのまま出力され、外線への呼出を行なうときには、外線番号に外線識別番号が付加されて出力される。より具体的には、選択キー３７６により内線が選択されたときには、ダイヤルキー３７４により入力された内線番号がそのまま出力され、選択キー３７６により外線が選択されたときには、ダイヤルキー３７４により入力された外線番号に外線識別番号が付加されて出力される。
【００５０】
本実施形態では、設定記憶部３４１に外線用が設定されていれば入力された外線番号がそのまま出力される。また、設定記憶部３４１に内線用が設定されていれば、ユーザが選択キー３７６により外線へ呼出を行なうと選択したときに、入力された外線番号に外線識別番号が付加されて出力される。これにより、内線用又は外線用の設定、及び、内線又は外線のいずれに呼出を行なうかの選択を予め行なえば、通信装置１００が内線交換機１０３に接続されているか否かにかかわらず、ユーザが外線番号を入力する際に外線識別番号を付加する必要がない。
【符号の説明】
【００５１】
３１    ＣＰＵ
３４    ＳＲＡＭ
３５    モデム
３６    ＮＣＵ
３７    操作パネル
４４    公衆電話網
４６    呼出部
１００    通信装置
１０１    電話交換機
１０２    外部通信装置
１０３    内線交換機
３４１    設定記憶部
３４２    短縮ダイヤル記憶部
３４３    ワンタッチダイヤル記憶部
３４４    番号記憶部
３７１    操作キー
３７２    ＬＣＤ
３７３    短縮キー
３７４    ダイヤルキー
３７５    ワンタッチキー
３７６    選択キー
【図１】
2012138810.tif 000003
【図２】
2012138810.tif 000004
【図３】
2012138810.tif 000005
【図４】
2012138810.tif 000006
【図５】
2012138810.tif 000007